(57)【要約】【課題】予測性がなく、しかも、余韻を味わったり、緊迫感を楽しむことができるビックリ箱を提供する。【解決手段】ケースの定位置に設置される飛出し部材と、ケースの複数の差込み孔に差し込まれる複数の差込み物と、飛出し部材に飛出し方向への弾発力を付与する飛出し力付与装置と、弾発力に抗して飛出し部材を係止し得る係止装置と、係止装置による係止を解除する解除装置と、差込み物の差込みを検出する検出装置と、所定のアクションを行うアクション発生装置と、飛出し部材が飛び出すまでに必要とされる差込みの数を設定し実際の差込みの数が設定数となったときにアクション発生装置に所定のアクションを行わせた後に解除装置を作動させる制御装置とを備える。【選択図】        図１
2004188106.tif 000002
【特許請求の範囲】
【請求項１】
外壁部に差込み孔を複数有するケースと、前記ケースの定位置に設置される飛出し部材と、前記複数の差込み孔のそれぞれに差し込まれる複数の差込み物と、前記飛出し部材に飛出し方向への弾発力を付与する飛出し力付与装置と、前記飛出し力付与装置の弾発力に抗して前記飛出し部材を前記ケースの定位置に設置した状態で係止し得る係止装置と、前記係止装置による係止を解除する解除装置と、前記差込み物の前記差込み孔への差込みを検出する検出装置と、所定のアクションを行うアクション発生装置と、前記飛出し部材が飛び出すまでに必要とされる差込みの数を設定し前記検出装置で検出した前記差込み物の差込みの数が設定数となったときに前記アクション発生装置に所定のアクションを行わせた後に前記解除装置を作動させる制御装置とを備えることを特徴とするビックリ箱。
【請求項２】
前記飛出し部材が飛び出すまでに必要とされる差込みの数はゲームごとに設定されることを特徴とする請求項１記載のビックリ箱。
【請求項３】
前記飛出し部材が飛び出すまでに必要とされる差込みの数は前記差込み孔の数以下であることを特徴とする請求項２記載のビックリ箱。
【請求項４】
前記所定のアクションとして発光動作、音出動作または振動動作を含むことを特徴とする請求項１から３記載のいずれか一に記載のビックリ箱。
【請求項５】
前記差込み物の差込みの数が設定数となる前に前記所定のアクションとは識別できる他のアクションを行うことあることを特徴とする請求項４記載のビックリ箱。
【発明の詳細な説明】
【０００１】
【発明の属する技術分野】
本発明は、ゲーム装置に関するものである。
【０００２】
【従来の技術】
従来、ケースの外壁部に設けた複数の差込み孔のそれぞれに１本ずつ差込み物を差し込んでゆき、当たりとなる特定の差込み孔に差込み物を差し込んだ際に、ケースの定位置に設置した飛出し部材に飛出し方向への弾発力を付与して飛び出させるビックリ箱が知られている（たとえば、特許文献１）。
このビックリ箱によれば、当たりとなる特定の差込み孔を変化させるのに、ケースの定位置に設置した飛出し部材を回転させることとしていた。
また、このビックリ箱によれば、飛出し部材をケースの定位置に設置するために、弾発力に抗して飛出し部材を係止し、当たりとなる特定の差込み孔に差込み物が差し込まれた際のその差込み物の突き当たりによって係止を解除していた。
【０００３】
【特許文献１】
実開平４−５８９２号公報
【０００４】
【発明が解決しようとする課題】
しかしながら、上記ビックリ箱によれば、当たりとなる特定の差込み孔を変化させるのに、ケースの定位置に設置した飛出し部材を回転させることとしていたことから、その飛出し部材の回転量から変化後に当たりとなる特定の差込み孔がある程度予想できてしまう。
また、当たりとなる特定の差込み孔に差込み物が差し込まれた際のその差込み物の突き当たりによって係止を解除していたため、当たりとなる特定の差込み孔に差込み物が差し込まれた瞬間に飛出し部材が飛び出してしまう。その結果、当たりとなる特定の差込み孔に差込み物が差し込まれた後に余韻を味わったり、緊迫感を楽しむことができなかった。
【０００５】
本発明は、かかる点に鑑みてなされたもので、予測性がなく、しかも、余韻を味わったり、緊迫感を楽しむことができるビックリ箱を提供することを目的としている。
【０００６】
【課題を解決するための手段】
請求項１記載のビックリ箱は、外壁部に差込み孔を複数有するケースと、前記ケースの定位置に設置される飛出し部材と、前記複数の差込み孔のそれぞれに差し込まれる複数の差込み物と、前記飛出し部材に飛出し方向への弾発力を付与する飛出し力付与装置と、前記飛出し力付与装置の弾発力に抗して前記飛出し部材を前記ケースの定位置に設置した状態で係止し得る係止装置と、前記係止装置による係止を解除する解除装置と、前記差込み物の前記差込み孔への差込みを検出する検出装置と、所定のアクションを行うアクション発生装置と、前記飛出し部材が飛び出すまでに必要とされる差込みの数を設定し前記検出装置で検出した前記差込み物の差込みの数が設定数となったときに前記アクション発生装置に所定のアクションを行わせた後に前記解除装置を作動させる制御装置とを備えることを特徴とする。
このビックリ箱によれば、飛出し部材が飛び出すまでに必要とされる差込みの数が制御装置によって自動的に設定されるので、飛出し部材がいつ飛び出すかの予測ができないこととなる。
また、飛出し部材が飛び出す直前にアクションを行うので、「あたり」または「はずれ」の余韻を味わったり、緊迫感を楽しむことができる。
【０００７】
請求項２記載のビックリ箱は、請求項１記載のビックリ箱において、前記飛出し部材が飛び出すまでに必要とされる差込みの数はゲームごとに設定されることを特徴とする。「ゲームの開始」はたとえば電源スイッチのオンやリセットスイッチのリセットによってなされる。
このビックリ箱によれば、飛出し部材が飛び出すまでに必要とされる差込みの数はゲームごとに設定されるので、その数が１回のゲームで差し込まれる差込み物の数以下であればその１回のゲームにおいて必ず飛出し部材が飛び出すし、その数が１回のゲームで差し込まれる差込み物の数を越えるときにはその１回のゲームにおいて飛出し部材が飛び出さない。したがって、１回のゲームにおいて必ず飛出し部材が飛び出す場合に比べて、より変化のあるゲームを行うことができる。
【０００８】
請求項３記載のビックリ箱は、請求項２記載のビックリ箱において、前記飛出し部材が飛び出すまでに必要とされる差込みの数は前記差込み孔の数以下であることを特徴とする。
このビックリ箱によれば、飛出し部材が飛び出すまでに必要とされる差込みの数は前記差込み孔の数以下であるので、差込み孔の数分だけ差込み物を差し込むうちに必ず飛出し部材が飛び出す。したがって、ゲーム参加者の一人と他のゲーム参加者とを色分けしたい場合に有効である。
【０００９】
請求項４記載のビックリ箱は、請求項１から３記載のいずれか一に記載のビックリ箱において、前記所定のアクションとして発光動作、音出動作または振動動作を含むことを特徴とする。
このビックリ箱によれば、アクションとして発光動作、音出動作または振動動作を含むので、興趣性のあるビックリ箱が実現される。
【００１０】
請求項５記載のビックリ箱は、請求項４記載のビックリ箱において、前記差込み物の差込みの数が設定数となる前に前記所定のアクションとは識別できる他のアクションを行うことあることを特徴とする。「識別できるアクション」とは、たとえば発光状態、音声、音楽または振動状態が異なる場合などをいう。また、「行うことある」とは、ゲームによっては他のアクションを行わない場合もあることを意味する。
このビックリ箱によれば、飛出し部材が飛び出す場合と飛び出さない場合とをアクションで区別できることになる。
【００１１】
【発明の実施の形態】
１．全体構成
図１は本発明に係るビックリ箱の全体斜視図である。
このビックリ箱１は、同図に示すように、外壁部２ａに差込み孔２ｂを複数有する樽の如き外観をしたケース２，差込み孔２ｂに差し込まれる差込み物３および飛出し部材４を備え、内部には、弾発力を付与して飛出し部材４を飛び出させる飛出し力付与装置５（図２）と、飛出し力付与装置５の弾発力に抗して飛出し部材４をケース２の定位置に設置した状態で係止し得る係止装置６と、係止装置６による係止を解除させる解除装置８（図６）と、差込み物３の差込みを検出する検出装置９と、差込み物３の差込み時に音を発生する音出装置１０と、差込み物３の差込み時にケース２を振動させる振動装置１１と、解除装置８、音出装置１０および振動装置１１の作動を制御する制御装置１２とを備えている。そして、ここで制御装置１２は、当たりモードに至るまでの差込み数を自動的に設定するとともに検出装置９で検出した差込み物３の差込み数に応じて解除装置８、振動装置１１および音出装置１０の作動を制御する。
【００１２】
２．全体動作
差込み孔２ｂに差込み物３を１本ずつ差し込んでゆくと、検出装置９で検出した差込み物３の差込み数に応じて音出装置１０や振動装置１１が作動してビックリ箱１が様々なアクションを行い、最終的に解除装置８が作動し飛出し力付与装置５によって飛出し部材４が飛び出す。
【００１３】
３．細部構成
（１）図２以下の図面に基づき本発明に係るビックリ箱の具体的な構成について説明する。
図２はビックリ箱１の分解斜視図、図３は飛出し部材４および飛出し力付与装置５の斜視図、図４は飛出し力付与装置５の縦断側面図、図５は検出装置９の作動を示すビックリ箱１の平断面図、図６は解除装置８の構成図である。
【００１４】
（２）ケース２
ケース２はたとえば上下分割形の上部ケース１３と下部ケース１４とからなり、樽形の外観をした中空状のケースとして造られ、その外壁部２ａには差込み物３が差し込まれる前記差込み孔２ｂが複数設けられている。また、上部ケース１３の天板には飛出し部材４を臨ませる開口部１５が設けられ、一方、下部ケース１４の底には音出装置１０により発生された後を放出させる音出孔（図示せず）が設けられている。
【００１５】
（３）飛出し部材４
飛出し部材４は人形の外観を呈している。
【００１６】
（４）飛出し力付与装置５
飛出し力付与装置５は飛出し部材４に飛出し力を付与するもので、図３および図４に示すように、筒体１６と、該筒体１６内に上下動可能に収納されたロッド１７とを備えている。筒体１６は、その上端部が上部ケース１３の中央部に設けられた受部（図示せず）に支持され、その下端部が下部ケース１４の中央部に設けられた受部１８に固定的に支持されている。この筒体１６内にはそのロッド１７に上昇力を付与するスプリング１９が収容されている。また、筒体１６の外周部にはスプリング１９の弾発力に抗してロッド１７を下降した状態に係止し得る係止装置６が取り付けられている。
【００１７】
（５）係止装置６
係止装置６は係止レバー２０を含んで構成されている。この係止レバー２０は筒体１６の外周に取り付けられ、軸２１を中心に動作する。また、係止レバー２０はその下端の爪２２が筒体１６の内部に入り込み、ロッド１７の下端のフランジ２３の上端に係止可能となっている。さらに、係止レバー２０はスプリング２４によってその下端の爪２２が筒体１６の内方へ付勢されるように構成されている。
なお、フランジ２３の下側にはテーパが付けられ、このテーパ部は、ロッド１７が下降した際に爪２２に当たりスプリング１９の付勢力に抗してその爪２２を筒体１６の外方へ動作させるように働く。
【００１８】
（６）解除装置８
解除装置８は、モータ２５と、モータ歯車２６に噛合する歯車２７と、歯車２７と同軸に設けられた歯車２８と、この歯車２８に噛合する他の歯車２９と、歯車２９と同軸に設けられ偏心ピン３０が付設された回転体３１（カム）とを含んで構成されている。ここで歯車２７には当該歯車２７を初期位置に復帰させるためのスプリング３２が付設されている。
この解除装置８は、モータ２５の動力を歯車２６から２９を経て回転体３１に伝達し、偏心ピン３０によって、前記係止レバー２０を動作させる（図４参照）。
【００１９】
（７）検出装置９
検出装置９は図５に示すようにリング部材３３および検出スイッチ３４を備えている。
【００２０】
リング部材３３は、下部ケース１４内の上部に設けられた回動案内部３５上に設置されている。このリング部材３３の上下にはケース２の差込み孔２ｂに対応する位置に接触作動片３６が一体的に設けられている。
この接触作動片３６の先端の楔状部分（カム）３６ａは、ケース２の任意の差込み孔２ｂに差し込まれた差込み物３の接触圧を受けて、リング部材３３に回転力を付与する働きをする。
このリング部材３３は、常態では、復帰用スプリング３７によって接触作動片３６のカム３６ａがケース２の差込み孔２ｂの内側に位置するようになっている。そして、ケース２の差込み孔２ｂから差し込まれた差込み物３がカム３６ａに接触することによって、その上側からみて時計方向に所定角度、リング部材３３が回転し、差込み物３の開口部３８の箇所でリング部材３３が初期位置に復帰するようになっている。すなわち、リング部材３３は差込み物３が差し込まれるごとに１回の往復回転を行う。
【００２１】
検出スイッチ３４はリング部材３３に設けられている。この検出スイッチ３４はノーマルオープンスイッチであり、対をなすスイッチ片３４ａ、３４ｂは、下部ケース１４に形成されたコ字状部３９内に臨んでいる。その結果、検出スイッチ３４はリング部材３３の往復回転動作ごとに一時的にオンする。
【００２２】
（８）音出装置１０（アクション発生装置）
音出装置１０は、記憶装置４０に記憶された音声データをアナログ信号に変換するＤ／Ａ変換器と、そのアナログ信号を増幅する増幅器と、スピーカとを含んで構成されている。
【００２３】
（９）振動装置１１（アクション発生装置）
振動装置１１は、図７（ａ）、（ｂ）に示すように、モータ４１と、モータ歯車４２に噛合する歯車４３と、歯車４３と同軸に設けられた歯車４４と、歯車４４に噛合する歯車４５と、歯車４５と同軸に設けられた歯車４６と、歯車４６に噛合する歯車４７と、歯車４７と同軸に設けられ偏心ピン４８が付設された回転体４９（カム）と、偏心ピン４８に長孔５０で係合し軸５１を中心に揺動する揺動体５２とによって構成されている。
この振動装置１１は、モータ４１の動力を歯車４２から４７を経て回転体４９に伝達し、偏心ピン４８によって、揺動体５２を揺動させる。
を含んで構成されている。
【００２４】
（１０）制御装置１２
制御装置１２は、図８のブロック図で示すように、記憶装置４０に格納されるゲームプログラムに従って、解除装置８、音出装置１０および振動装置１１を制御するものである。
【００２５】
次に、差込み物３の差込み操作に応じた制御装置１２の動作について、図９に示すフローチャートを参照して説明する。同図に示すように、制御装置１２は、差込み孔２ｂへの差込み物３の差込みを検出装置９で検出した場合であって（ステップＳ１０：ＹＥＳ）、１本目の差込み物３が差込まれた場合に（ステップＳ１２：ＹＥＳ）、ビックリ箱１に設けられた差込み孔２ｂの数の範囲内（“１”〜“２４”）であたり乱数を発生させる（ステップＳ１４）。制御装置１２は、あたり乱数に相当する本数の差込み物３が差込まれた時点で“あたり”と判断する（ステップＳ１６：ＹＥＳ）。そして、制御装置１２は、差込み操作を“あたり”と判断した場合には、記憶装置４０内に予め格納されているあたりアクションのアクションパターンに基づいて、あたりアクションを発生させる（ステップＳ１８）。
【００２６】
図１０に、あたりアクションの一覧を示す。各あたりアクション種別には、固有の効果音データを含むアクションパターンと、該当するあたりアクションの発生確率とが設定されている。そして、各アクションパターンには、たとえば、音出装置１０による効果音の音出動作、振動装置１１によるビックリ箱１の振動動作、及び飛出し部材４の飛出し動作タイミングの組合せが定義される。このあたりアクションは、図１０に示すように、ノーマルあたりとリーチあたりに分類され、ノーマルあたりが選択された場合には飛出し音とともに飛出し部材４が飛出した後に効果音による音出動作や振動動作が組み合わされたあたりアクションが発生し、リーチあたりが選択された場合には効果音による音出動作や振動動作後に、飛出し音とともに飛出し部材４が飛出すあたりアクションが発生するようになっている。
【００２７】
制御装置１２は、差込み操作を“あたり”と判断した場合に、あたりアクションの一覧から発生確率に基づいてあたりアクションを選択する。具体的には、たとえば、予め各あたりアクション種別の発生確率に基づいて“１”〜“１００”の数値にあたりアクション種別を割り当てておく。制御装置１２は、差込み操作を“あたり”と判断した場合に、“１”〜“１００”の範囲内で乱数を発生させ、発生させるあたりアクションを決定する。そして、制御装置１２は、該当するアクションパターンに従って音出装置１０、振動装置１１、飛出し力付与装置５等を制御してあたりアクションを発生させる。
【００２８】
また、あたりアクションは、発展型のリーチあたりアクション（たとえば、図１１に示すあたりアクション種別“発展リーチあたりＣ”，“発展リーチあたりＤ”）を含み、この発展型のリーチあたりアクションが発生した場合には、特例として、１人が２本の差込み物３を連続して差込むようにゲームが進行する。この場合、ビックリ箱１は、２本目の差込み操作に応じて飛出し部材４が飛出すように動作する。
【００２９】
また、制御装置１２は、差込まれた差込み物３の本数があたり乱数未満の場合には、“はずれ”と判断する（ステップＳ１６：ＮＯ）。そして、制御装置１２は、差込み操作を“はずれ”と判断した場合には、記憶装置４０内に予め格納されているはずれアクションのアクションパターンに基づいてはずれアクションを発生させた後（ステップＳ２０）、ステップＳ１０に戻って処理を繰り返す。
【００３０】
図１１に、はずれアクションの一覧を示す。各はずれアクション種別には、固有の効果音データを含むアクションパターンと、該当するはずれアクションの発生確率とが設定されている。そして、各アクションパターンには、たとえば、音出装置１０による効果音の音出動作、及び振動装置１１によるビックリ箱１の振動動作の組合せが定義される。たとえば、はずれアクション種別“リーチはずれＣ”には、固有の効果音データを含むアクションパターンと、発生確率“５（％）”が設定される。
【００３１】
制御装置１２は、差込み操作を“はずれ”と判断した場合に、はずれアクションの一覧から発生確率に基づいてはずれアクションを選択する。具体的には、あたりアクションを選択する場合と同様に、たとえば、乱数を用いて発生させるはずれアクションを決定する。そして、制御装置１２は、該当するアクションパターンに従って、音出装置１０、振動装置１１等を制御してはずれアクションを発生させる。
【００３２】
また、はずれアクションは、あたりアクションと同様に、発展型のリーチはずれアクション（たとえば、図１１に示すはずれアクション種別“発展リーチはずれＡ”，“発展リーチはずれＢ”）を含み、この発展型のリーチはずれアクションが発生した場合にも、特例として、１人が２本の差込み物３を連続して差込むようにゲームが進行する。発展型のリーチはずれアクションが発生した場合には、連続して差込まれた２本目の差込み操作は“はずれ”として処理される。
【００３３】
たとえば、制御装置１２は、あたり乱数が“１０”の場合には、１０本目の差込み物３が差込まれた時点で“あたり”と判断する。また、制御装置１２は、９本目までの差込み操作に応じて発展型のリーチはずれアクションを発生させた場合には、連続して差込まれた２本目の差込み物３を考慮しない。即ち、制御装置１２は、９本目までの差込み操作に応じて発展型のリーチはずれアクションを１回発生させた場合には、１１本目の差込み物３の差込み操作に応じて“あたり”と判断する。
【００３４】
また、制御装置１２は、発生させたあたり乱数が“２４”の場合には、発展型のあたりアクション（たとえば、図１０に示すあたりアクション種別“発展リーチあたりＣ”，“発展リーチあたりＤ”）を発生させないように制御する。具体的には、制御装置１２は、乱数により選択したあたりアクションが発展型のリーチあたりアクションの場合には、再度乱数を発生させてあたりアクションを選択し直す。
【００３５】
（１１）その他
電源としては特に限定はされないが電池が使用される。電池はケース２内に着脱可能に収納される。また、電源スイッチのつまみはケース２に特別に設けてもよいが、ロッド１７の下降の際に電源スイッチがオンされるような構成としてもよい。
【００３６】
４．本発明の変形
以上、本発明の実施形態について説明したが、本発明は、かかる実施形態に限定されるものではなく、その要旨を逸脱しない範囲で、種々変形が可能であることはいうまでもない。
【００３７】
【発明の効果】
本発明の代表的なものの効果を説明すれば、外壁部に差込み孔を複数有するケースと、前記ケースの定位置に設置される飛出し部材と、前記複数の差込み孔のそれぞれに差し込まれる複数の差込み物と、前記飛出し部材に飛出し方向への弾発力を付与する飛出し力付与装置と、前記飛出し力付与装置の弾発力に抗して前記飛出し部材を前記ケースの定位置に設置した状態で係止し得る係止装置と、前記係止装置による係止を解除する解除装置と、前記差込み物の前記差込み孔への差込みを検出する検出装置と、所定のアクションを行うアクション発生装置と、前記飛出し部材が飛び出すまでに必要とされる差込みの数を設定し前記検出装置で検出した前記差込み物の差込みの数が設定数となったときに前記アクション発生装置に所定のアクションを行わせた後に前記解除装置を作動させる制御装置とを備えるので、予測性がなく、しかも余韻を味わったり、緊迫感を楽しむことができるビックリ箱が実現される。
【図面の簡単な説明】
【図１】本発明の実施形態に係るビックリ箱の斜視図である。
【図２】本発明の実施形態に係るビックリ箱の分解斜視図である。
【図３】本発明の実施形態に係るビックリ箱の飛出し部材および飛出し力付与装置の斜視図である。
【図４】本発明の実施形態に係るビックリ箱の飛出し力付与装置の縦断側面図である。
【図５】本発明の実施形態に係るビックリ箱の検出装置の作動を示す平断面図である。
【図６】本発明の実施形態に係るビックリ箱の解除装置の構成図である。
【図７】本発明の実施形態に係るビックリ箱の振動装置の構成図である。
【図８】本発明の実施形態に係るビックリ箱の内部回路のブロック図である。
【図９】本発明の実施形態に係るビックリ箱の制御装置の動作についてのフローチャートである。
【図１０】本発明の実施形態に係るビックリ箱のあたりアクションの一覧を示す図である。
【図１１】本発明の実施形態に係るビックリ箱のはずれアクションの一覧を示す図である。
【符号の説明】
１      ビックリ箱
２      ケース
２ｂ    差込み孔
３      差込み物
４      飛出し部材
５      飛出し力付与装置
６      係止装置
８      解除装置
９      検出装置
１０    音出装置
１１    振動装置
１２    制御装置
【図１】
2004188106.tif 000003
【図２】
2004188106.tif 000004
【図３】
2004188106.tif 000005
【図４】
2004188106.tif 000006
【図５】
2004188106.tif 000007
【図６】
2004188106.tif 000008
【図７】
2004188106.tif 000009
【図８】
2004188106.tif 000010
【図９】
2004188106.tif 000011
【図１０】
2004188106.tif 000012
【図１１】
2004188106.tif 000013